(57)【要約】【課題】構造が簡便な昇降装置のスイッチ機構を提供する。【解決手段】マイクロスイッチ３１のローラ３４を押す方向における往復部材２０の形状を変化させる可変部２１が往復部材２０に取り付けられている。可変部２１は、往復部材２０から外側に向けて張り出した押圧部２５と、この押圧部２５よりも引っ込んだ非押圧部２６と、押圧部２５と非押圧部２６との境界である段部２７とが備えられ、ペダル７が踏み込まれると、押圧部２５と接触してローラ３４が押され、所定量を超えてペダル７が踏み込まれることで非押圧部２６と対面してローラ３４が解放され、ペダル７が解放されると、ローラ３４に段部２７が引っ掛かって往復部材２０を軸として可変部２１が右回りに回転し、段部２７がローラ３４を乗り越えた後に、往復部材２０を軸として可変部２１が左回りに回転して押圧部２５が再びローラ３４と対面する。【選択図】  図５
2018097910.tif 000002
【特許請求の範囲】
【請求項１】
ペダルが踏み込まれ、または踏み込まれた状態から解放されることに連動して往復する往復部材と、この往復部材が往復する方向と交差する方向に押されるスイッチとが備えられ、前記ペダルが所定量踏み込まれることで前記スイッチが押されて被昇降部が上昇し、前記ペダルが前記所定量を超えて踏み込まれることで、前記スイッチが押されることから解放される装置のスイッチ機構において、
前記スイッチを押す方向における前記往復部材の形状を変化させる可変部が備えられ、
前記往復部材は、前記ペダルが踏み込まれる往路において、前記スイッチを押す方向に張り出し、前記ペダルが前記所定量を超えて踏み込まれた状態から解放される復路において、前記スイッチを押す方向と反対方向に引っ込む、
ことを特徴とする昇降装置のスイッチ機構。
【請求項２】
前記可変部に、前記往復部材から外側に向けて張り出した押圧部と、この押圧部よりも引っ込んだ非押圧部とが備えられ、
往路において、前記押圧部と接触して前記スイッチが押され、前記所定量を超えて前記ペダルが踏み込まれることで前記非押圧部と対面して前記スイッチが解放される、
ことを特徴とする請求項１に記載された昇降装置のスイッチ機構。
【請求項３】
前記可変部に、前記押圧部と前記非押圧部との境界である段部が備えられ、
復路において、前記スイッチに前記段部が引っ掛かって前記可変部が回転し、前記段部が前記スイッチを乗り越えた後に前記可変部が逆向きに回転して前記押圧部が前記スイッチと対面する、
ことを特徴とする請求項２に記載された昇降装置のスイッチ機構。
【請求項４】
前記可変部において前記押圧部よりも下側寄りに重心がある、
ことを特徴とする請求項２または請求項３に記載された昇降装置のスイッチ機構。
【請求項５】
前記可変部が、
前記往復部材に支持される本体部と、この本体部の下側に連接された重心部とから構成され、
前記本体部の外周において、この本体部上側寄りに前記非押圧部が形成され、この非押圧部の下側に隣接して前記押圧部が形成された、
ことを特徴とする請求項２から請求項４のいずれか１項に記載された昇降装置のスイッチ機構。
【発明の詳細な説明】
【技術分野】
【０００１】
本発明は、昇降装置において椅子などの被昇降部材を昇降させる昇降装置のスイッチ機構に関するものである。
【背景技術】
【０００２】
従来、例えば、理美容施設において整髪や美容施術が施術される際、または、歯科医療施設において検診や手術が行われる際に、被施術者が座る椅子やその他の機器は、高さを自在に調節するための昇降装置や、この昇降装置を作動させるためのスイッチが内蔵されている。このようなものとして、例えば、下記特許文献１に記載された椅子昇降装置におけるスイッチ構造がある。ここで、従来のスイッチ構造を図面に基づいて説明する。図１１は、従来のスイッチ構造の斜視図であり、図１２は、従来のスイッチ構造を側方から視した際の動作過程が模式的に示された図である。
【０００３】
従来のスイッチ構造によれば、図１１において、ペダル２０７が足で踏まれるとシリンダ２０４によって椅子（図示省略）が上昇し、ペダル２０７から足が離れると停止する。所定量を超えてペダル２０７が踏み込まれるとシリンダ２０４によって椅子が下降する。詳説すれば、椅子を上昇させるためのマイクロスイッチ２３１に板バネ２６０が対面して配置され、この板バネ２６０を撓ませる突起部２６１が板バネの端側において板バネ２６０と対面して配置されている。この突起部２６１はペダル２０７と連動するため、所定量だけペダル２０７が踏まれると、図１２（ａ）から（ｄ）に示されているとおり、突起部２６１が上昇し、突起部２６１によって板バネ２６０がマイクロスイッチ２３１側に押されることで、板バネ２６０が撓み、板バネ２６０を介してマイクロスイッチ２３１が押されて椅子が上昇する。所定量を超えてペダル２０７が踏み込まれると、図１２（ｄ）（ｅ）に示されているとおり、上昇した突起部２６１が板バネ２６０の撓み量を超えて板バネ２６０を通過し、板バネ２６０がマイクロスイッチ２３１から離れ、椅子が停止する。同時に、図１１において、シリンダ２０４がペダル２０７と連動して解放されて椅子が下降する。この状態でペダル２０７から足が離れると、ペダル２０７が元の位置に戻ると共に、図１２（ｆ）から（ｈ）に示されているとおり、突起部２６１が下降し、突起部２６１によって板バネ２６０がマイクロスイッチ２３１から離れる側に押されることで板バネ２６０が撓み、突起部２６１が板バネ２６０の撓み量を超えて板バネ２６０を通過して元の位置に戻る。
【先行技術文献】
【特許文献】
【０００４】
【特許文献１】特開２０１０−１７２５２４号公報
【発明の概要】
【発明が解決しようとする課題】
【０００５】
しかし、上記したとおり、ペダル２０７の踏み込み量と板バネ２６０の撓み量とを考慮して、突起部２６１と板バネ２６０とを配置するのは困難であり、各部材の組み付け作業が複雑である。
【０００６】
本発明は、上記の実情に鑑みて提案されたものである。すなわち、構造が簡便な昇降装置のスイッチ機構の提供を目的とする。
【課題を解決するための手段】
【０００７】
上記目的を達成するために、本発明に係る昇降装置のスイッチ機構は、ペダルが踏み込まれ、または踏み込まれた状態から解放されることに連動して往復する往復部材と、この往復部材が往復する方向と交差する方向に押されるスイッチとが備えられ、前記ペダルが所定量踏み込まれることで前記スイッチが押されて被昇降部が上昇し、前記ペダルが前記所定量を超えて踏み込まれることで、前記スイッチが押されることから解放される装置のスイッチ機構において、前記スイッチを押す方向における前記往復部材の形状を変化させる可変部が備えられ、前記往復部材は、前記ペダルが踏み込まれる往路において、前記スイッチを押す方向に張り出し、前記ペダルが前記所定量を超えて踏み込まれた状態から解放される復路において、前記スイッチを押す方向と反対方向に引っ込む、ことを特徴とする。
【０００８】
本発明に係る昇降装置のスイッチ機構は、前記可変部に、前記往復部材から外側に向けて張り出した押圧部と、この押圧部よりも引っ込んだ非押圧部とが備えられ、往路において、前記押圧部と接触して前記スイッチが押され、前記所定量を超えて前記ペダルが踏み込まれることで前記非押圧部と対面して前記スイッチが解放される、ことを特徴とする。
【０００９】
本発明に係る昇降装置のスイッチ機構は、前記可変部に、前記押圧部と前記非押圧部との境界である段部が備えられ、復路において、前記スイッチに前記段部が引っ掛かって前記可変部が回転し、前記段部が前記スイッチを乗り越えた後に前記可変部が逆向きに回転して前記押圧部が前記スイッチと対面する、ことを特徴とする。
【００１０】
本発明に係る昇降装置のスイッチ機構は、前記可変部において前記押圧部よりも下側寄りに重心がある、ことを特徴とする。
【００１１】
本発明に係る昇降装置のスイッチ機構は、前記可変部が、前記往復部材に支持される本体部と、この本体部の下側に連接された重心部とから構成され、前記本体部の外周において、この本体部上側寄りに前記非押圧部が形成され、この非押圧部の下側に隣接して前記押圧部が形成された、ことを特徴とする。
【発明の効果】
【００１２】
本発明に係る昇降装置のスイッチ機構は、上記した構成である。すなわち、往復部材は、可変部が作動することによって、往路と復路とで形状が変化する。詳説すれば、往復部材は往路においてスイッチを押す方向に張り出すため、往路ではスイッチが押されて被昇降部が上昇する。一方、往復部材は復路においてスイッチを押す方向と反対方向に引っ込むため、復路ではスイッチが解放される。したがって、弾性変形を利用した昇降装置のスイッチ機構と比較して、各部材の配置、調整、組み付け作業が簡便である。
【００１３】
本発明に係る昇降装置のスイッチ機構は、可変部に、往復部材から外側に向けて張り出した押圧部と、この押圧部よりも引っ込んだ非押圧部とが備えられ、往路において、押圧部と接触してスイッチが押され、所定量を超えてペダルが踏み込まれることで非押圧部と対面してスイッチが解放される。すなわち、往路では、往復部材から外側に向けて張り出した押圧部によってスイッチが押され、復路では、押圧部よりも内側に引っ込んだ非押圧部とスイッチが対面することで、スイッチが解放される。したがって、弾性変形を利用した昇降装置のスイッチ機構と比較して、構成が簡便である。
【００１４】
本発明に係る昇降装置のスイッチ機構は、可変部に、押圧部と非押圧部との境界である段部が備えられ、復路において、スイッチに段部が引っ掛かって可変部が回転し、段部がスイッチを乗り越えた後に可変部が逆向きに回転して押圧部がスイッチと対面する。すなわち、往復部材は、可変部が回転することで、往路と復路とで形状が変化する。詳説すれば、非押圧部と対面することでスイッチが解放されている復路において、スイッチに段部が引っ掛かって可変部が回転することで、回転方向における下流側に押圧部が移動する。このことにより、復路において、押圧部がスイッチを押すことなく往復部材がスイッチを通過する。その後、復路において、段部がスイッチを乗り越えると、可変部が逆向きに回転して元の状態に戻り、押圧部はスイッチを押すことなくスイッチと対面する。したがって、復路において、スイッチが押されることを抑止することができる。
【００１５】
本発明に係る昇降装置のスイッチ機構は、可変部において押圧部よりも下側寄りに重心がある。したがって、重力が作用することで可変部を所定の位置に配置させることができる。
【００１６】
本発明に係る昇降装置のスイッチ機構は、可変部が、往復部材に支持される本体部と、この本体部の下側に連接された重心部とから構成され、本体部の外周において、この本体部上側寄りに非押圧部が形成され、この非押圧部の下側に隣接して押圧部が形成されている。したがって、弾性変形を利用した昇降装置のスイッチ機構と比較して、構成が簡便である。
【図面の簡単な説明】
【００１７】
【図１】本発明の第一実施形態に係る昇降装置のスイッチ機構の外観斜視図である。
【図２】本発明の第一実施形態に係る昇降装置のスイッチ機構の外観側面図である。
【図３】本発明の第一実施形態に係る昇降装置のスイッチ機構の外観背面図である。
【図４】本発明の第一実施形態に係る昇降装置のスイッチ機構における可変部の外観斜視図である。
【図５】本発明の第一実施形態に係る昇降装置のスイッチ機構の動作の過程が示され、スイッチが押される前の状態を説明する説明図である。
【図６】本発明の第一実施形態に係る昇降装置のスイッチ機構の動作の過程が示され、往路においてスイッチが押された状態を説明する説明図である。
【図７】本発明の第一実施形態に係る昇降装置のスイッチ機構の動作の過程が示され、往路において押されたスイッチが解放された状態を説明する説明図である。
【図８】本発明の第一実施形態に係る昇降装置のスイッチ機構の動作の過程が示され、復路においてスイッチが解放されたまま往復部材が元の位置に戻る状態を説明する説明図である。
【図９】本発明の第二実施形態に係る昇降装置のスイッチ機構の要部の外観側面図である。
【図１０】本発明の第二実施形態に係る昇降装置のスイッチ機構の要部の外観背面図である。
【図１１】従来の昇降装置のスイッチ機構の外観斜視図である。
【図１２】従来の昇降装置のスイッチ機構の動作が模式的に示された動作過程図である。
【発明を実施するための形態】
【００１８】
以下に、本発明の実施形態に係る昇降装置のスイッチ機構（以下、昇降装置のスイッチ機構を、「スイッチ機構」と記す。）を図面に基づいて説明する。図１は、スイッチ機構１を上方から斜視した外観が示され、図２はスイッチ機構１の側面が示され、図３はスイッチ機構１の背面が示されている。なお、以下の説明では、図１においてペダル７が配置されている側を後方とし、反対側を前方とする。また、鉛直方向を、被昇降部としての椅子（図示省略）などが昇降する方向とし、上方および下方とする。また、図３において、ペダル７の回転軸方向を側方とし、一方を手前、他方を奥とする。
【００１９】
スイッチ機構１は、例えば椅子の脚部２に搭載されている。図１から図３に示されているとおり、脚部２は、設置面に自立する脚本体部（図示省略）がカバー部材３で覆われ、この脚本体部の上に昇降装置としてのシリンダ本体４がスイッチ機構１と共に取り付けられている。このスイッチ機構１は、次のとおり構成されている。すなわち、利用者の脚などで踏み込まれるペダル７と、このペダル７が支持された軸部６と、この軸部６に取り付けられてペダル７が踏み込まれる動作と連動する連動部としてのクランク１０と、ペダル７が踏み込まれ、または踏み込まれた状態から解放されることに連動して往復する往復部材２０と、この往復部材２０が連結されてクランク１０が当たるリンク部１３と、往復部材２０が往復する方向と交差する方向（図１において後方）に押されるスイッチとしてのマイクロスイッチ３１とから、スイッチ機構１が構成されている。
【００２０】
シリンダ本体４は、例えば油圧式であり、油が充填されたタンク（図示省略）と、この油が供給されるシリンダ部（図示省略）とがハウジング４０で覆われている。ハウジング４０は上端に蓋部４１が取り付けられている。この蓋部４１は、中空の筒部４２が上方に向けて突出し、ピストンであるラム５が筒部４２を通って上方に向けて突出し、露出している。なお、シリンダ本体４は、空圧式であってもよい。
【００２１】
蓋部４１は、シリンダ部の中の油をタンクに戻すための操作杆（図示省略）が上方に向けて突出し、露出している。また、蓋部４１は、弾性部材としてのコイルスプリング（図示省略）が取り付けられ、コイルスプリングの中心に操作杆が配置されている。なお、コイルスプリングは操作杆と別々に配置されていてもよい。また、弾性部材は、外力が作用した際に弾性変形して復元するものであればどのようなものであってもよい。
【００２２】
蓋部４１は、後方に向けて張り出した板状の支持台４３が取り付けられている。
【００２３】
軸部６は、側方を軸として筒部４２の前方に支持されている。軸部６は、ペダル７とクランク１０とが取り付けられている。
【００２４】
ペダル７は、軸部６の両端部から後方に向けて長手に形成された一対のペダル第一部８と、このペダル第一部８の後端同士に連接されたペダル第二部９とから構成されている。ペダル７は、利用者が脚で踏み込む際に届く程度に長く形成されている。クランク１０は、軸部６の両端部よりも中央寄りから後方に伸びて形成された一対のクランク第一部１１と、このクランク第一部１１の後端同士に連接されたクランク第二部１２とから構成されている。クランク１０は、ハウジング４０の上面において収まる程度の長さに形成され、クランク第二部１２が操作杆およびコイルスプリングと上下において対面している。
【００２５】
リンク部１３は、第一リンク部１４と、この第一リンク部１４の奥側に連結された第二リンク部１５とから構成されている。各リンク部１４，１５は、それぞれ扁平に形成されている。第一リンク部１４は、クランク１０のクランク第二部１２の下側に取り付けられている。第二リンク部１５は、前端部が第一リンク部１４の後端部に支持され、前端部を軸として角度が変化する。第二リンク部１５は、後端部から奥側に向けて往復部材２０が取り付けられている。往復部材２０は棒状に形成され、軸が側方に向けられている。
【００２６】
往復部材２０は、支持台４３の上に取り付けられた板状の立上げ部材４４を介してマイクロスイッチ３１と対面している。詳説すれば、立上げ部材４４は、上下に長い長孔４５が形成され、この長孔４５に往復部材２０が通されている。この構成により、往復部材２０は、長孔４５の範囲において上下に往復する。往復部材２０は、マイクロスイッチ３１を押す方向における往復部材２０の形状を変化させる可変部２１が、立上げ部材４４における手前側に取り付けられている。また、立上げ部材４４は、手前側の面であって長孔４５の後方にマイクロスイッチ３１が取り付けられている。マイクロスイッチ３１は、先端部にローラ３４が取り付けられたアクチュエータレバー３２と、アクチュエータボタン３５とが備えられている（図５参照）。ここで、アクチュエータレバー３２の先端部とアクチュエータボタン３５との間隔を接点間隔ａとする（図５参照）。
【００２７】
ここで、可変部２１を図面に基づいて説明する。図４は、本発明の第一実施形態に係るスイッチ機構１の可変部２１の外観が示されている。
【００２８】
図４に示されているとおり、可変部２１は、往復部材２０に支持される本体部２２と、この本体部２２の下側に連接された重心部２８とから構成されている。本体部２２は、往復部材２０が通される円形の支持孔２３が形成され、この支持孔２３の軸が側方に向けられた円筒状に形成されている。また、本体部２２は、外周において、上部から上方に向けて突出した第一規制突部２４と、後側から後方に向けて張り出した押圧部２５と、第一規制突部２４と押圧部２５との間において押圧部２５よりも本体部２２に向けて内側に引っ込んだ非押圧部２６と、押圧部２５と非押圧部２６との境界である段部２７とが形成されている。
【００２９】
押圧部２５は、本体部２２の肉厚が非押圧部２６よりも厚く形成されたものであり、本体部２２の外周において、後側から下方に至って本体部２２のほぼ四分の一強を占める位置に形成されている。押圧部２５は、厚みｂがマイクロスイッチ３１の接点間隔ａとほぼ同じであり、外面が本体部２２に沿って湾曲している。非押圧部２６は、本体部２２の肉厚が押圧部２５よりも薄く形成されたものであり、本体部２２の外周において、後方から上方に至って本体部２２のほぼ四分の一弱を占める位置に形成されている。段部２７は、本体部２２において肉厚が異なることで形成され、押圧部２５と非押圧部２６との肉厚の差である。
【００３０】
重心部２８は、本体部２２の下側から下方に向けて突出し、後側が後方に向けてほぼ三角形に突出した第二規制突部２９が形成されている。この重心部２８によって、可変部２１は押圧部２５よりも下側寄りに重心がある。第二規制突部２９は、後方に向かうにしたがって徐々に下方に傾斜した傾斜部３０が形成されている。
【００３１】
上記のとおり、スイッチ機構１が構成されている。次に、スイッチ機構１の動作を図面に基づいて説明する。図５から図８は、スイッチ機構１の動作の過程が示されている。図５は、ペダル７が踏み込まれておらず、マイクロスイッチ３１が押される前の状態である初期状態が示され、図６は、所定量だけペダル７が踏み込まれてマイクロスイッチ３１が押された状態である上昇状態が示され、図７は、所定量を超えてペダル７が踏み込まれてマイクロスイッチ３１が解放された状態である停止状態、かつ、所定量を超えて最大量までペダル７が踏み込まれて操作杆が押し下げられた状態である下降状態が示され、図８は、ペダル７が最大量まで踏み込まれた状態から解放された状態である復帰状態が示されている。ここで、往復部材２０が下降する際の軌道を往路とし、上昇する際に軌道を復路とする。
【００３２】
図５に示されている初期状態では、往復部材２０がマイクロスイッチ３１のローラ３４よりも上方に配置され、押圧部２５と第二規制突部２９との間にローラ３４が配置されている。すなわち、アクチュエータボタン３５がアクチュエータレバー３２によって押されておらず、マイクロスイッチ３１は作動していない。初期状態について詳説すれば、ペダル７が踏み込まれておらず、クランク１０が、可動範囲における最上端位置に配置されている。したがって、リンク部１３は、クランク１０に押し下げられておらず、可動範囲における最上端位置に配置されている。また、コイルスプリングおよび操作杆もクランク１０に押し下げられておらず、コイルスプリングは、ほぼ自然長の状態であり、操作杆は可動範囲における最上端位置に突出している。
【００３３】
図６に示されている上昇状態では、往復部材２０がマイクロスイッチ３１のローラ３４とほぼ同じ高さに配置され、押圧部２５によってローラ３４が押されている。すなわち、アクチュエータボタン３５がアクチュエータレバー３２によって押され、マイクロスイッチ３１が作動している。上昇状態について詳説すれば、初期状態において、利用者によってペダル７が所定量踏み込まれ、軸部６を軸としてペダル７が下降（図６において右回りに回転）すると共にクランク１０も軸部６を軸として下降（図６において右回りに回転）する。クランク１０が下降することでリンク部１３が押し下げられ、リンク部１３と連動して往復部材２０が下降する。往復部材２０は、ペダル７が踏み込まれる往路において、ローラ３４を押す方向に、接点間隔ａとほぼ同じ厚みｂの分だけ可変部２１の押圧部２５が張り出しているため、押圧部２５が接触することでアクチュエータレバー３２を介してアクチュエータボタン３５が押される。その際、可変部２１は重心部２８によって重心が下側寄りにあるため、回転することなく下降する。このことによってマイクロスイッチ３１が作動し、油がシリンダ部に供給されて椅子が上昇する。また、コイルスプリングがクランク１０に押し下げられて圧縮し、同時に、操作杆もクランク１０に押し下げられる。
【００３４】
なお、上昇状態において、ペダル７が踏み込まれた状態から解放されると、初期状態に戻り、マイクロスイッチ３１が解放されて椅子が停止する。
【００３５】
図７に示された停止状態では、往復部材２０がマイクロスイッチ３１のローラ３４よりも下方に配置され、押圧部２５と第一規制突部２４との間にローラ３４が配置されている。すなわち、アクチュエータボタン３５がアクチュエータレバー３２によって押されておらず、マイクロスイッチ３１は作動していない。停止状態について詳説すれば、上昇状態において、利用者によってペダル７が所定量を超えて踏み込まれ、軸部６を軸としてペダル７およびクランク１０が下降（図７において右回りに回転）し、リンク部１３が押し下げられることで往復部材２０が下降する。往復部材２０は、ローラ３４を押す方向と反対方向に、接点間隔ａとほぼ同じ厚みｂの分だけ可変部２１の非押圧部２６が引っ込んでいるため、押されたローラ３４から押圧部２５が離れて非押圧部２６と対面し、アクチュエータレバー３２が元の状態に戻ることでアクチュエータボタン３５が復旧する。このことによってマイクロスイッチ３１が解放され、シリンダ部への油の供給が止まって椅子が停止する。
【００３６】
さらにペダル７が踏み込まれ、最大量までペダル７が踏み込まれた下降状態では、コイルスプリングがクランク１０に押し下げられて可動範囲における最下端位置まで圧縮し、同時に、操作杆もクランク１０に押し下げられて可動範囲における最下端位置に押し込まれている。操作杆が最下端位置まで押し込まれたことで、シリンダ部内の油がタンクに移動し、ラム５と共に椅子が下降する。
【００３７】
図８に示された復帰状態では、往復部材２０がマイクロスイッチ３１のローラ３４とほぼ同じ高さに配置され、非押圧部２６にローラ３４が対面している。すなわち、アクチュエータボタン３５がアクチュエータレバー３２によって押されておらず、マイクロスイッチ３１は作動していない。復帰状態について詳説すれば、停止状態または下降状態において、ペダル７が踏み込まれた状態から解放され、軸部６を軸としてペダル７およびクランク１０が上昇（図８において左回りに回転）し、リンク部１３が押し上げられることで往復部材２０が上昇する。往復部材２０は、停止状態または下降状態から初期状態に戻る復路において、ローラ３４に可変部２１の段部２７が引っ掛かって可変部２１が往復部材２０を軸として回転（図８において右回りに回転）する。往復部材２０は、ローラ３４を押す方向と反対方向に、接点間隔ａとほぼ同じ厚みｂの分だけ可変部２１の非押圧部２６が引っ込んでいるため、押されたローラ３４から押圧部２５が離れて非押圧部２６と対面する。その際、第一規制突部２４がローラ３４に当たることで、可変部２１が必要以上に回転することが規制される。
【００３８】
段部２７がローラ３４を乗り越えるまで往復部材２０が上昇した後、可変部２１が逆向きに回転（図８において左回りに回転）し、押圧部２５がローラ３４と対面する。その際、可変部２１は重心部２８によって重心が下側寄りにあるため、上昇しながら重力によって回転する。さらに往復部材２０が上昇すると、図５に示されているとおり、往復部材２０がローラ３４よりも上方に配置され、押圧部２５と第二規制突部２９との間にローラ３４が配置されて初期状態に戻る。その際、第二規制突部２９の傾斜部３０がローラ３４に当たることで、ローラ３４が位置決めされる。
【００３９】
上記のとおり、第一実施形態に係るスイッチ機構１が構成されている。次に、第一実施形態の効果を説明する。
【００４０】
上記したとおり、第一実施形態によれば、棒状に形成された往復部材２０に可変部２１が取り付けられている。可変部２１の本体部２２は、外周において、後側から後方に向けて張り出した押圧部２５と、第一規制突部２４と押圧部２５との間において押圧部２５よりも本体部２２に向けて内側に引っ込んだ非押圧部２６とが形成されている。したがって、弾性変形を利用した昇降装置のスイッチ機構と比較して、構成が簡便である。
【００４１】
また、上記した構成により、往復部材２０は、可変部２１が往復部材２０を軸として回転することによって、往路と復路とで形状が変化する。詳説すれば、往復部材２０は往路において、アクチュエータレバー３２のローラ３４を押す方向に、接点間隔ａとほぼ同じ厚みｂの分だけ押圧部２５が張り出しているため、往路ではアクチュエータレバー３２を介してアクチュエータボタン３５が押されて被昇降部が上昇する。一方、往復部材２０は、復路において、ローラ３４を押す方向と反対方向に、接点間隔ａとほぼ同じ厚みｂの分だけ可変部２１の非押圧部２６が引っ込んでいるため、復路ではアクチュエータレバー３２が元の状態に戻ることでアクチュエータボタン３５が復旧する。したがって、弾性変形を利用した昇降装置のスイッチ機構と比較して、各部材の構成、配置、調整、組み付け作業が簡便である。
【００４２】
第一実施形態によれば、可変部２１に、押圧部２５と非押圧部２６との境界である段部２７が形成されている。この構成により、停止状態または下降状態から初期状態に戻る往復部材２０の復路において、ローラ３４に可変部２１の段部２７が引っ掛かって可変部２１が往復部材２０を軸として回転する。すなわち、押圧部２５がローラ３４を押すことなく往復部材２０がローラ３４を通過する。その後、段部２７がローラ３４を乗り越えるまで往復部材２０が上昇した後、可変部２１が逆向きに回転して押圧部２５がローラ３４と対面する。すなわち、可変部２１が初期状態の位置に戻り、押圧部２５はローラ３４を押すことなくローラ３４と対面する。したがって、復路において、ローラ３４が押されることを抑止することができる。
【００４３】
第一実施形態によれば、可変部２１は、本体部２２の下側に連接された重心部２８が備えられ、押圧部２５よりも下側寄りに重心がある。この構成により、復帰状態において、段部２７がローラ３４を乗り越えるまで往復部材２０が上昇した後、可変部２１が逆向きに回転する際、上昇しながら可変部２１は重力によって回転する。したがって、重力が作用することで可変部２１を初期状態における所定の向きに戻すことができる。
【００４４】
次に、第二実施形態に係るスイッチ機構１０１を図面に基づいて説明する。図９は、第二実施形態に係るスイッチ機構１０１の側面が示され、図１０はスイッチ機構１０１の背面が示されている。なお、以下では、第一実施形態と異なる構成が説明され、同様の構成は第一実施形態と同じ符号が用いられて説明が適宜省略されている。
【００４５】
図９および図１０に示されているとおり、スイッチ機構１０１の往復部材１２０は、上下の両端が奥側に向けて直角に屈折した板部材１５０と、この板部材１５０の両端をそれぞれ貫通した支持棒１５１と、板部材１５０を貫通すると共に互いに平行に配置された第一規制棒１５２および第二規制棒１５３とから構成され、板部材１５０の手前側において第一規制棒１５２に可変部１２１が取り付けられている。各規制棒１５２，１５３の間にクランク１１０が配置されている。
【００４６】
可変部１２１は、往復部材１２０に支持される本体部１２２と、この本体部１２２の下側に連接された重心部１２８とから構成されている。本体部１２２は、第一規制棒１５２が通され、軸が側方に向けられた円筒状に形成されている。また、本体部１２２は、外周において、後側から後方に向けて張り出した押圧部１２５と、押圧部１２５よりも本体部１２２に向けて内側に引っ込んだ非押圧部１２６と、押圧部１２５と非押圧部１２６との境界である段部１２７とが形成されている。重心部１２８は、本体部1２２の下側から下方に向けて突出すると共に後方に向けて張り出した第二規制突部１２９が形成されている。なお、第一実施形態の第一規制突部２４に相当する構成が備えられていてもよい。
【００４７】
利用者によってペダル７が所定量を超えて踏み込まれ、軸部６を軸としてペダル７およびクランク１１０が下降（図９において右回りに回転）し、第二規制棒１５３が押し下げられることで往復部材１２０が支持棒１５１に沿って下降する。一方、ペダル７が踏み込まれた状態から解放されると、クランク１１０が上昇（図９において左回りに回転）し、第一規制棒１５２が押し上げられることで往復部材１２０が支持棒１５１に沿って上昇する。なお、その他の動作については第一実施形態と同様である。
【００４８】
この第二実施形態においても、第一実施形態と同様の効果を奏する。
【００４９】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５０】
１，１０１        スイッチ機構（昇降装置のスイッチ機構）
２                脚部
３                カバー部材
４                シリンダ本体（昇降装置）
５                ラム
６                軸部
７                ペダル
８                ペダル第一部
９                ペダル第二部
１０，１１０      クランク（連動部）
１１              クランク第一部
１２              クランク第二部
１３              リンク部
１４              第一リンク部
１５              第二リンク部
２０，１２０      往復部材
２１，１２１      可変部
２２，１２２      本体部
２３              支持孔
２４              第一規制突部
２５，１２５      押圧部
２６，１２６      非押圧部
２７，１２７      段部
２８，１２８      重心部
２９，１２９      第二規制突部
３０              傾斜部
３１              マイクロスイッチ（スイッチ）
３２              アクチュエータレバー
３４              ローラ
３５              アクチュエータボタン
４０              ハウジング
４１              蓋部
４２              筒部
４３              支持台
４４              立上げ部材
４５              長孔
１５０            板部材
１５１            支持棒
１５２            第一規制棒
１５３            第二規制棒
２０４            シリンダ
２０７            ペダル
２３１            マイクロスイッチ
２６０            板バネ
２６１            突起部
ａ                接点間隔
ｂ                厚み
【図１】
2018097910.tif 000003
【図２】
2018097910.tif 000004
【図３】
2018097910.tif 000005
【図４】
2018097910.tif 000006
【図５】
2018097910.tif 000007
【図６】
2018097910.tif 000008
【図７】
2018097910.tif 000009
【図８】
2018097910.tif 000010
【図９】
2018097910.tif 000011
【図１０】
2018097910.tif 000012
【図１１】
2018097910.tif 000013
【図１２】
2018097910.tif 000014